(57)【要約】【課題】  簡単な機構で一度に複数枚の同種のコインを投入することのできるコイン投入器を提供するものである。【解決手段】  ２以上の整数ｎ枚のコイン７ａ，７ｂを投入可能な開口幅の投入口２ａを備えるコイン投入部２と、コイン投入部２に連結され投入されたｎ枚のコイン７ａ，７ｂを下方へ誘導する第１の通路５ａと、第１の通路５ａの下部に設けられｎ枚のコイン７ａ，７ｂを１枚ずつに分けるコイン分離部６と、コイン分離部６に連結されコイン分離部６で１枚ずつに分けられたコイン７ａ，７ｂを他の通路に誘導する第２乃至第（ｎ＋１）の通路５ｂ，５ｃとを有し、コイン分離部６は中央部にｎ枚のコイン７ａ，７ｂの間に介入して分ける（ｎ−１）の分離壁６ａを備え、第２の通路５ｂに連通している第１の開口部乃至並設される第（ｎ＋１）の通路５ｃに連通する第ｎの開口部を備えるものである。【選択図】  図１
2005044189.tif 000002
【特許請求の範囲】
【請求項１】
２以上の整数ｎ枚のコインを投入可能な開口幅の投入口を備えるコイン投入部と、前記コイン投入部に連結され投入された前記ｎ枚のコインを下方へ誘導する第１の通路と、前記第１の通路の下部に設けられ前記ｎ枚のコインを１枚ずつに分けるコイン分離部と、前記コイン分離部に連結され前記コイン分離部で１枚ずつに分けられた前記コインを他の通路に誘導する第２乃至第（ｎ＋１）の通路とを有し、前記コイン分離部は中央部に前記ｎ枚のコインの間に介入して分ける（ｎ−１）の分離壁を備え、前記第２の通路に連通している第１の開口部乃至並設される前記第（ｎ＋１）の通路に連通する第ｎの開口部を備えることを特徴とするコイン投入器。
【請求項２】
前記コイン投入部の前記投入口の下部両端部には、前記投入口に一時的に前記コインを保持することができる保持部材が設けられていることを特徴とする請求項１に記載のコイン投入器。
【請求項３】
前記分離部は、鉛直方向に対して傾斜して第１の通路の下部に設けられており、前記第１の開口部乃至第ｎの開口部の上側端部は前記開口部にコインを導く案内部を備えることを特徴とする請求項１又は請求項２に記載のコイン投入器。
【請求項４】
前記整数ｎが２の場合であって、第１の開口部と第２の開口部の幅は、一の端部では前記第１の開口部が前記第２の開口部よりも広く形成されていることを特徴とする請求項１乃至請求項３のいずれか１に記載のコイン投入器。
【請求項５】
前記整数ｎが２の場合であって、第１の開口部と第２の開口部の幅は、一の端部では前記第１の開口部が前記第２の開口部よりも広く形成され、他の端部では前記第１の開口部が前記第２の開口部よりも狭く形成されていることを特徴とする請求項１乃至請求項４のいずれか１に記載のコイン投入器。
【請求項６】
前記コイン投入部の前記投入口壁面に滑り止め部材が設けられていることを特徴とする請求項１乃至請求項５のいずれか１に記載のコイン投入器。
【発明の詳細な説明】
【技術分野】
【０００１】
本発明は、一度に複数枚のコインを投入するコイン投入器に関する。
【背景技術】
【０００２】
一般に、自動販売機、コインロッカー、コインランドリーやスロットマシン等はコイン投入口に同種あるいは異種のコインを投入することで利用することができるものである。しかしながら、これらのコイン投入口はコイン１枚が入るほどの幅のスリットで形成されているため、このスリットに同種あるいは異種のコインを１枚ずつ投入しなければならず投入作業に時間がかかるとともに、コインを幅の狭いスリット、すなわち、コイン投入口に投入するという作業は細かい作業であり煩雑さが生じたり、場合によってはコインを投入最中に落として紛失してしまうこともあるという課題があった。
【０００３】
このような課題に対処するため、いくつかの発明及び考案が開示されている。
例えば、特許文献１には、「コイン投入器」という名称で、同種の複数枚のコインを一度に投入することのできるコイン投入器に関する発明が開示されている。
【０００４】
以下、図５を参照しながら、特許文献１に開示された技術について説明する。図５は従来技術に係るコイン投入器の概念図である。
図５に示すようにコイン投入器本体９は上端に開口部を有するコイン受け口１７と、これに連通する開口部１４を有した上段コイン滑走斜筒１０と、上段コイン滑走斜筒１０に連結し下部に開口端１２を有した下段コイン滑走斜筒１１とから構成されており、上段コイン滑走斜筒１０の開口部１４にはコイン１８，１枚が通過できる程の間隙を形成する中間コイン矯正板１５が設けられ、開口端１２端部には中間コイン矯正板１５を通過したコイン１８をコイン通過道１３に誘導する滑走誘導板１６が設けられている。このため、コイン投入器本体９内部に形成される連通孔はコイン受け口１７からコイン通過道１３に行くに従って次第に狭くなっていく構造となっている。
このような構造により、コイン受け口１７から投入された複数枚のコイン１８は中間コイン矯正板１５で１枚ずつに分離され、その後滑走誘導板１６に沿って１枚ずつ開口端１２及びコイン通過道１３へと誘導されるため、順次１枚ずつコイン通過道１３へと送り込まれる仕組みとなっている。したがって、コイン投入器本体９内部でコイン１８を詰まらせることなくスムーズに投入することができる。
【０００５】
また、特許文献２には、「投入コイン等の整列排出機構」という名称でシュート部の開口部にランダムに投入された複数枚のコインを短時間に一列に整列させて投入口に排出することのできる投入コイン等の整列排出機構に関する発明が開示されている。
特許文献２に開示された投入コイン等の整列排出機構は、スロットマシン、遊技機または自動販売機のコイン投入口に連結して使用されるものであり、複数枚のコインを投入することのできるシュート部と、シュート部に投入されたコインを強制的に重合整列させながら滑落させる重合整列送出部と、重合整列送出部で強制的に重合されたコインを１枚宛傾斜状態に重合しながら下方へ滑落させる整列落下送出部と、整列落下送出部から排出されたコインを重合させることなく１枚ずつコイン投入口に送り込む排出口部付き一列並列送出部とから構成されており、排出口部付き一列並列送出部の先端にはコイン投入口に連結する投入口用アダプターが設けられている。このため、シュート部から投入されたコインは下方へと滑落する間に徐々に一列に整列させられ、一列に整列されたコインが投入口用アダプターを介してコイン投入口へと１枚ずつ確実に投入される構造となっている。そのため、従来のようにコインを１枚ずつ投入口へ投入しなければならないという煩わしさが解消され、その分、遊技に集中できるという利点がある。
【０００６】
特許文献３には、「投入コイン等の整列排出機構」という名称で特許文献２に開示された発明に改良を加えた投入コイン等の整列排出機構に関する発明が開示されている。
特許文献３に開示された投入コイン等の整列排出機構は、特許文献２に開示された投入コイン等の整列排出機構にさらに３つの改良点を加えたものである。まず１つ目の改良点としてシュート部中央部に仕切り部を設けこの仕切り部とシュート部の内壁面との間に上方から下方に行くに従って漸次傾斜する螺旋形状の滑落部を設けたことである。滑落部を設けた効果としてはシュート部に投入されたコインが平面状態になりながらスムーズに下方へと滑落していくという利点がある。また、２つ目の改良点としては特許文献２に開示された投入コイン等の整列排出機構の整列落下送出部の所定箇所にコインの詰り防止部を設けたことである。この詰り防止部は１０枚以上のコインを整列落下送出部内で一時的に停止させるものであり、これを設けることによって１０枚以上のコインの重みが排出口部付き一列並列送出部あるいは排出口部付き一列並列送出部側の整列落下送出部内のコインに加えられて目詰まりするのを防止することができる。さらに、３つ目の改良点としては排出口部付き一列並列送出部の上方部にコイン１枚を縦状に強制的に落とし込むストッパーを設けたことである。このストッパーも詰り防止部と同様にコインの荷重による圧力を一時的に抑えるために設けられたものであり、これを設けることでよりスムーズにコインを滑落させることができる。
【０００７】
【特許文献１】登録実用新案第３０４０６９２号公報
【特許文献２】特開２００２−４９９５３号公報
【特許文献３】特開２００２−１９７５１２号公報
【発明の開示】
【発明が解決しようとする課題】
【０００８】
しかしながら、上述の従来の技術においては、特許文献１に開示された発明においては、コインの滑落通路の途中及び最終端に中間コイン矯正板１５や滑走誘導板１６を設けてコイン１枚が通過できるほどの間隙を形成することで複数枚のコインを１枚ずつに分離させコインを順次１枚ずつコイン通過道１３へと送り込ませることができるものの、中間コイン矯正板１５で形成される間隙はコイン１枚が通過できる程の幅しかなく、しかも、コイン受け口とこれに連通する上段コイン滑走斜筒１０は開口部が大きいため、大量のコインを一気に投入した場合には中間コイン矯正板１５で形成される間隙付近にコインが詰ってしまいスムーズにコインが下方へと落下しない可能性があるという課題があった。
【０００９】
また、特許文献２に開示された発明においては、ランダムにシュート部に投入されたコインをシュート部からコイン投入口へと滑落させる間に一列に整列させコイン投入口に連結されたアダプターを介してコイン１枚１枚を確実にコイン投入口へと投入することができ、コインを投入する際の煩雑さを解消することができるものの、コイン投入口へ投入されるコインの枚数は１枚であるためコインの投入に時間がかかるという課題があった。また、重合整列送出部、整列落下送出部及び排出口部付き一列並列送出部内では複数枚のコインが連鎖して並んでいるためシュート部に大量のコインを投入すると投入されたコインの重みで整列落下送出部及び排出口部付き一列並列送出部内のコインが圧迫されてコインが投入コイン等の整列排出機構内で詰ってしまいスムーズに下方へと滑落しない可能性があるという課題があった。
【００１０】
最後に、特許文献３に開示された発明においては、特許文献２に開示された発明にシュート部中央部に仕切り部を設けこれとシュート部の内壁面との間に上方から下方に行くに従って漸次傾斜する螺旋形状の滑落部を設ける、整列落下送出部の所定箇所及び排出口部付き一列並列送出部の上方部にコインの詰り防止部及びコイン１枚を縦状に強制的に落とし込むストッパーを設けるという改良点を加えることによってシュート部に大量のコインを投入した場合でもコインの荷重による目詰まりを防止することができるものの、特許文献２と同様にコイン投入口へ投入されるコインの枚数は１枚でありコインの投入に時間がかかるという課題があった。
【００１１】
本発明はかかる従来の事情に対処してなされたものであり、簡単な機構で一度に複数枚の同種のコインを投入することのできるコイン投入器を提供することを目的とする。
【課題を解決するための手段】
【００１２】
上記目的を達成するため、請求項１記載の発明であるコイン投入器は、２以上の整数ｎ枚のコインを投入可能な開口幅の投入口を備えるコイン投入部と、コイン投入部に連結され投入されたｎ枚のコインを下方へ誘導する第１の通路と、第１の通路の下部に設けられｎ枚のコインを１枚ずつに分けるコイン分離部と、コイン分離部に連結されコイン分離部で１枚ずつに分けられたコインを他の通路に誘導する第２乃至第（ｎ＋１）の通路とを有し、コイン分離部は中央部にｎ枚のコインの間に介入して分ける（ｎ−１）の分離壁を備え、第２の通路に連通している第１の開口部乃至並設される第（ｎ＋１）の通路に連通する第ｎの開口部を備えるものである。
上記構成のコイン投入器においては、投入口から投入されたｎ枚のコインがコイン分離部で１枚ずつに分離されそれぞれのコインがコイン分離部に連結されるｎ個の通路に送入されるという作用を有する。
【００１３】
また、請求項２記載の発明であるコイン投入器は、請求項１に記載のコイン投入器において、コイン投入部の投入口の下部両端部には、投入口に一時的にコインを保持することができる保持部材が設けられているものである。
上記構成のコイン投入器においては、投入口から投入されたコインを保持部材で一時的に保持しコインの落下速度を一部減少させるという作用を有する。
【００１４】
請求項３記載の発明であるコイン投入器は、請求項１又は請求項２に記載のコイン投入器において、分離部は、鉛直方向に対して傾斜して第１の通路の下部に設けられており、第１の開口部乃至第ｎの開口部の上側端部は開口部にコインを導く案内部を備えるものである。
上記構成のコイン投入器においては、第１の開口部乃至第ｎの開口部の上側端部は開口部にコインを導く案内部を設けることで第１の通路を通って落下してきたコインを一旦案内部に衝突させてコインの落下速度を一部減少させるという作用を有する。
【００１５】
また、請求項４記載の発明であるコイン投入器は、請求項１乃至請求項３のいずれか１に記載のコイン投入器において、整数ｎが２の場合であって、第１の開口部と第２の開口部の幅は、一の端部では第１の開口部が第２の開口部よりも広く形成されているものである。
上記構成のコイン投入器においては、整数ｎが２の場合に第１の開口部と第２の開口部の幅を一の端部では第１の開口部が第２の開口部よりも広く形成することで第１の通路を通過してきた２枚のコインが分離壁へ衝突してその分離壁との干渉時間に差を設ける作用を有する。すなわち、狭い開口部に投ぜられたコインは、分離壁のより中央部分に衝突し易く、よって分離壁での干渉時間あるいは停滞時間が長くなる。一方、広く形成された開口部に投ぜられたコインは、分離壁の端部に衝突する可能性が高く、そのコインの分離壁での干渉時間は短くなる可能性が高い。このように、分離壁における干渉時間に差を生じさせてその下方へ落下させるという作用を有する。
【００１６】
また、請求項５記載の発明であるコイン投入器は、請求項１乃至請求項４のいずれか１に記載のコイン投入器において、整数ｎが２の場合であって、第１の開口部と第２の開口部の幅は、一の端部では第１の開口部が第２の開口部よりも広く形成され、他の端部では第１の開口部が第２の開口部よりも狭く形成されているものである。
上記構成のコイン投入器においても、請求項４に記載の発明と同様に、整数ｎが２の場合に第１の開口部と第２の開口部の幅を一の端部では第１の開口部が第２の開口部よりも広く形成し、他の端部では第１の開口部が第２の開口部よりも狭く形成することで第１の通路を通過してきた２枚のコインが分離壁へ衝突してその分離壁との干渉時間に差を設ける作用を有するが、２枚のコインが衝突しない部分においては、その幅の広狭を逆に設けることでコイン分離部全体の幅を抑制するという作用を有する。
【００１７】
請求項６記載の発明であるコイン投入器は、請求項１乃至請求項５のいずれか１に記載のコイン投入器において、コイン投入部の投入口壁面に滑り止め部材が設けられているものである。
上記構成のコイン投入器においては、コイン投入部の投入口壁面に滑り止め部材を設けることで投入口にコインを投入する際に投入口壁面側のコインと投入口壁面との間に摩擦を生じさせて、不用意なコインの投入を防止すると共に、投入口壁面側のコインと他のコインとの間に落下における時間差を生じさせるという作用を有する。
【発明の効果】
【００１８】
以上説明したように、本発明の請求項１に記載のコイン投入器においては、簡単な構造で投入口から投入されたｎ枚のコインを詰まらせることなく１枚ずつに分離して各通路、すなわち、第２乃至第（ｎ＋１）の通路に誘導することができる。
【００１９】
また、本発明の請求項２に記載のコイン投入器においては、投入口から投入されたコインを保持部材で一時的に保持してコインの落下速度を一部減少させることで複数枚のコインを時間差で落下させ、第１乃至第（ｎ＋１）の通路内でコインが詰るのを防止することができる。
【００２０】
本発明の請求項３に記載のコイン投入器においては、請求項２の効果と同様に、案内部で第１の通路を通って落下してきたコインの落下速度を減少させてから第１の開口部乃至第ｎの開口部にコインを送り込むことで第１の開口部乃至第ｎの開口部内でコインが詰るのを防止することができる。
【００２１】
また、本発明の請求項４及び請求項５に記載のコイン投入器においては、第１及び第２の開口部の幅を均等にしない構造とすることで第１の通路を通って落下してきた２枚のコインを分離壁で分離する際に２枚のコインの落下時の摩擦を減少させ、２枚のコインを第２及び第３の通路へとスムーズに落下させることができる。また、請求項５に記載のコイン投入器においては、さらにコイン分離部の幅を小さく保持することができるため、より薄型化、小型化が可能なコイン投入器とすることができる。
【００２２】
最後に、本発明の請求項６に記載のコイン投入器においては、請求項２の効果と同様に、コイン投入部の投入口壁面に滑り止め部材を設けることで不用意なコインの投入を防止し、しかも投入口から投入されるコインの落下速度を和らげて第１乃至第（ｎ＋１）の通路内でコインが詰るのを防止することができる。
【発明を実施するための最良の形態】
【００２３】
一度に投入された複数枚のコインをスムーズに分離して各通路へと誘導するという目的を、簡単な構造で生産コストを向上させることなく実現した。
【実施例】
【００２４】
以下に、本発明の最良の実施の形態に係るコイン投入器の実施例を図１乃至図４に基づき説明する。
【００２５】
図１（ａ）は本発明の実施例に係るコイン投入器の概念図である。
コイン投入器１は複数枚の同種のコインを投入することのできるものであり、同種のコインを使用するスロットマシンやコインロッカー等のコイン投入口に使用するものである。本発明の実施例ではコイン投入器１の構造、作用及び効果を理解しやすいようにコインを２枚投入する場合について説明する。
図１（ａ）に示すように、コイン投入器１はコイン７ａ，７ｂを投入するコイン投入部２と、これに連結する通路５ａと、通路５ａの下部に設けられコイン投入口２ａから投入された２枚のコイン７ａ，７ｂを分離壁６ａで１枚ずつに分ける分離部６と、分離部６で１枚ずつに分けられたコイン７ａ，７ｂを他の通路に誘導する通路５ｂ，５ｃから構成されており、コイン投入部２のコイン投入口２ａから投入された２枚のコイン７ａ，７ｂは図１（ａ）中矢印Ｂで示す方向へと落下し、分離部６の分離壁６ａで１枚ずつに分離されてそれぞれ図１（ａ）中矢印Ｃ及び矢印Ｄで示される方向に従って通路５ｂ，５ｃへと送り込まれる構造となっている。２枚のコイン７ａ，７ｂが分離される構造ついては後述する。
【００２６】
また、符号２ｂはコイン７ａ，７ｂをコイン投入口２ａに投入する際にコイン投入口２ａ側のコイン、つまり、図１（ａ）中ではコイン７ａとコイン投入口２ａ壁面との間に摩擦を発生させるための滑り止めである。これをコイン投入口２ａ壁面に設けることでコイン７ａの不用意な落下を防止し、かつ、コイン投入口２ａ壁面側のコイン、すなわち、コイン７ａがコイン７ｂよりも後に下方へと落下する構造として２枚のコインが同時に投入されて生じるコイン詰まりを防止している。
図１（ａ）はコインが２枚の場合であるが、コインを大量にコイン投入口２ａから投入する場合にはこのようにコインを時間差で落下させる構造とすることでコイン７ａ、すなわち、コイン投入口２ａ壁面側のコインの落下速度をコイン７ｂ、すなわち、図１（ａ）では手前側のコインの落下速度よりも遅くし、通路５ａ〜５ｃ内でコインが詰るのを防止することができる。
加えて、コイン投入口２ａ下部両端部にはピン３ａ，３ｂで係止されたバネ４ａ，４ｂが備えられており、滑り止め２ｂと同様にコイン投入口２ａ内に一時的にコインを保持してから下方へと落下させるという作用を有している。具体的には、バネ４ａ，４ｂにはコイン２枚分の重さを支えることができるくらいの弾性力があり、バネ４ａ，４ｂにコイン２枚分の荷重が加えられるとバネ４ａ，４ｂが下方へと傾動してコイン７ａ，７ｂが下方へと落下する構造である。これにより、通路５ａには常に１枚あるいは２枚のコインのみが送り込まれるため、通路５ａ〜５ｃ内でコインが詰るのを回避しコインをスムーズに通路５ｂ，５ｃへと誘導することができるという効果がある。
【００２７】
なお、図１（ａ）中では滑り止め２ｂを網の目模様として図示したが、コインの下方への滑りを防止するものであれば他の模様や無模様であってもよい。滑り止め２ｂの材質についてもコイン投入部２と同様の材質で、例えば、金属で作製してもよいし、摩擦力の大きなゴム板等をコイン投入口２ａ壁面に貼り付ける構造としてもよい。
また、図１（ａ）及び（ｂ）中ではバネ４ａ，４ｂの弾性力をコイン２枚分の荷重を支えることができる程度であると記載したが、分離部６で分離できる処理能力、すなわち、コインの枚数に合わせてバネ４ａ，４ｂを選択するとよい。例えば、分離部６で分離できるコインの枚数が３枚、言い換えると、分離壁６ａが２つで分離部６に連結する通路が３つある場合にはコイン３枚分に相当する弾性力を有するバネ４ａ，４ｂを使用することで、通路５ａ内に１〜３枚のコインが投入される構造とすることができる。
【００２８】
図１（ｂ）は図１（ａ）中符号Ａで示される方向への矢視図である。図１（ｂ）において、図１（ａ）に記載されたものと同一部分については同一符号を付し、その構成についての説明は省略する。
【００２９】
符号８はコイン投入口２ａの底部に設けられた孔であり、コイン投入口２ａから投入されたコイン７ａ，７ｂはここを通って通路５ａへと移動する。また、符号ｘ３，ｘ４は分離壁６ａで分離された通路５ａの一の端部の幅を示している。
【００３０】
ここで、分離部６における２枚のコイン７ａ，７ｂの分離機構について図２を参照しながら説明する。
【００３１】
図２は図１（ａ）におけるＥ−Ｅ線矢視断面図である。図２において、図１に記載されたものと同一部分については同一符号を付し、その構成についての説明は省略する。
分離部６は単に通路５ａを分離壁６ａで分離した構造となっており、分離壁６ａと通路５ａの通路壁面６ｂ，６ｃによって２つの開口部６ｄ，６ｅが形成されている。また、この２つの開口部６ｄ，６ｅの幅は均等なものではなく、幅ｘ１は幅ｘ２よりも少し広く幅ｘ４も幅ｘ３より若干広く形成されている。すなわち、ｘ１＞ｘ２及びｘ４＞ｘ３という関係が成り立っており、分離壁６ａと通路壁面６ｂで囲まれている開口部６ｄの幅は図中右から左にいくに従って徐々に狭くなる一方で分離壁６ａと通路壁面６ｃで囲まれている開口部６ｅの幅は図中右から左にいくに従って徐々に広くなる構造となっている。また、この分離壁６ａの上流側の通路５ａの幅はコイン２枚が通過できる程度の幅しかない。
分離壁６ａによって開口部６ｄ，６ｅが全体に亘って同じ幅を備えた場合には、通路５ａを通ってほぼ一体となって落下してきた２枚のコイン７ａ，７ｂは同時に分離壁６ａに衝突する可能性が高い。しかしながら、本実施例における分離壁６ａは通路５ａをわずかながら斜めに横断しており、コインの落下地点においては、開口部６ｄの方が広いため、図２に示すように２枚のコイン７ａ，７ｂが接触している部分は分離壁６ａ上にはなく、分離壁６ａの位置と少しずれた位置にくる。
すなわち、１枚のコイン７ｂだけが分離壁６ａと衝突し、もう一方のコイン７ａは分離壁６ａには接触しない状態となる。また、符号６ｆ，６ｇは案内部であり、この部分には通路は形成されておらず塞がれた状態にある。この案内部６ｆ，６ｇは、通路５ａから落下してくる２つのコインを減速させて、開口部６ｄ，６ｅに導入することでコイン詰まりを防止してよりスムーズにコインの流れを促進するものである。コイン７ａは、分離壁６ａと衝突することなくこの案内部６ｇに衝突して減速され、コイン７ｂは分離壁６ａに衝突してから再度この案内部６ｇに衝突することになる。
【００３２】
次に、本実施例に係るコイン投入器において２枚のコインが落下しながら２つの通路に分離される状態について図３を参照しながら説明する。
図３（ａ）は２枚のコインが投入直後でほぼ一体になっているときの状態を示す図であり、図３（ｂ）は図３（ａ）におけるＧ−Ｇ線断面図であり、図３（ｃ）は１枚のコインが分離壁に衝突し、もう１枚のコインが分離壁に衝突することなく落下している状態を示す図であり、図３（ｄ）は図３（ｃ）におけるＨ−Ｈ線断面図であり、図３（ｅ）は２枚のコインが分離して落下している状態を示す図であり、図３（ｆ）は図３（ｅ）におけるＩ−Ｉ線断面図である。図３において、図１及び図２に記載されたものと同一部分については同一符号を付し、その構成についての説明は省略する。
図３（ａ）及び（ｂ）は、コイン７ｂが分離壁６ａに衝突したときの状態を示す図である。この状態ではコイン７ｂは分離壁６ａに当接し、コイン７ａはコイン７ｂと接触している。
次の瞬間には図３（ｃ）及び（ｄ）に示すように、コイン７ｂは一時的に分離壁６ａ上に保持された状態となり、その間にもう１枚のコイン７ａがコイン７ｂよりも先に下方、つまり、分離壁６ａ、通路壁面６ｃ間に形成された幅ｘ１，ｘ３の開口部６ｄ内へと落下する。このとき、コイン７ａとコイン７ｂとの間にはコイン７ａの落下移動により生じる反動力や摩擦力が生じるため、コイン７ｂは分離壁６ａ、通路壁面６ｂ間に形成された幅ｘ２，ｘ４の開口部６ｅ側へと押されコイン７ａより遅れて落下する。これが図３（ｅ）及び（ｆ）の状態である。
【００３３】
なお、図２及び図３中に示す分離壁６ａ、通路壁面６ｂ及び幅ｘ１，ｘ３からなる開口部６ｄは、通路壁面６ｂ及び仕切壁面６ｈからなる通路５ｂに連通し、分離壁６ａ、通路壁面６ｃ及び幅ｘ２，ｘ４からなる開口部６ｅは通路壁面６ｃと仕切壁面６ｈからなる通路５ｃに連通している。
また、通路５ａから開口部６ｄ、６ｅ内を経て通路５ｂ，５ｃへ落下するコインは、通路５ａから直接開口部６ｄ、６ｅ内へ落下するのではなく、図２に示す案内部６ｆ，６ｇに一旦衝突してからそれぞれ開口部６ｄ，６ｅ及び通路５ｂ，５ｃへと送り込まれる。これは、コイン７ａ，７ｂを案内部６ｆ，６ｇに衝突させることによりコイン７ａ，７ｂの落下速度を減じて通路５ｂ，５ｃ内でコインをスムーズに通過させコインの詰りを防止するという効果がある。前述のとおり、コイン７ｂは、案内部６ｆに衝突する前に分離壁６ａに衝突することになる。
以上のような構造及び作用を有する分離部６を通路５ａの下部に設けることによって、２枚のコイン７ａ，７ｂを容易に１枚ずつに分離することができるとともに、コイン７ａ，７ｂを１枚ずつ通路５ａ，５ｂにスムーズに送り込むことができる。
なお、本実施例においては、分離部６の開口部６ｄの幅をコイン７ａ，７ｂが落下する近傍の端部においては、ｘ１＞ｘ２として開口部６ｅよりも広くし、コインの落下する側からは遠い端部においてはｘ４＞ｘ３として開口部６ｅよりも狭くして通路５ａあるいはその下方の通路５ｂ，５ｃ全体の幅を薄型、あるいは小型に構成可能としている。しかしながら、そのように全体として薄型、小型とする必要のない場合には、開口幅を全体に亘ってｘ１＞ｘ２，ｘ３＞ｘ４として開口部６ｅよりも全体的に広くするとよい。
【００３４】
図４は図１（ａ）中符号Ｆで示される方向への矢視図である。図４において、図１乃至図３に記載されたものと同一部分については同一符号を付し、その構成についての説明は省略する。
【００３５】
前述したとおり、コイン投入部２のコイン投入口２ａに投入されたコイン７ａ，７ｂはバネ４ａ，４ｂ及び滑り止め２ｂによりコイン投入口２ａ内に一時的に保持される。図４はその状態を示している。
【産業上の利用可能性】
【００３６】
一度に同種の複数枚のコインを投入することができ、同種のコインを投入するスロットマシンやコインロッカー等のコイン投入口に適用できる。
【図面の簡単な説明】
【００３７】
【図１】（ａ）は本発明の実施例に係るコイン投入器の概念図であり、（ｂ）は（ａ）中符号Ａで示される方向への矢視図である。
【図２】図１（ａ）におけるＥ−Ｅ線矢視断面図である。
【図３】（ａ）は本実施例の使用状態を示す概念図であって、２枚のコインが投入直後でほぼ一体になっているとき状態を示す図であり、（ｂ）は（ａ）におけるＧ−Ｇ線断面図であり、（ｃ）は本実施例の使用状態を示す概念図であって、１枚のコインが分離壁に衝突し、もう１枚のコインが分離壁に衝突することなく落下している状態を示す図であり、（ｄ）は（ｃ）におけるＨ−Ｈ線断面図であり、（ｅ）は本実施例の使用状態を示す概念図であって、２枚のコインが分離して落下している状態を示す図であり、（ｆ）は（ｅ）におけるＩ−Ｉ線断面図である。
【図４】図１（ａ）中符号Ｆで示される方向への矢視図である。
【図５】従来技術に係るコイン投入器の概念図である。
【符号の説明】
【００３８】
１…コイン投入器  ２…コイン投入部  ２ａ…コイン投入口  ２ｂ…滑り止め  ３ａ，３ｂ…ピン  ４ａ，４ｂ…バネ  ５ａ，５ｂ，５ｃ…通路  ６…分離部  ６ａ…分離壁  ６ｂ，６ｃ…通路壁面  ６ｄ，６ｅ…開口部  ６ｆ，６ｇ…案内部  ６ｈ…仕切壁面  ７ａ，７ｂ…コイン  ８…孔  ９…コイン投入器本体  １０…上段コイン滑走斜筒  １１…下段コイン滑走斜筒  １２…開口端  １３…コイン通過道  １４…開口部  １５…中間コイン矯正版  １６…滑走誘導板  １７…コイン受け口  １８…コイン  ｘ１，ｘ２，ｘ３，ｘ４…幅
【図１】
2005044189.tif 000003
【図２】
2005044189.tif 000004
【図３】
2005044189.tif 000005
【図４】
2005044189.tif 000006
【図５】
2005044189.tif 000007